(57)【特許請求の範囲】
【請求項１】
浴室内に設置された噴霧ノズルに温湯を供給して、この温湯を上記噴霧ノズルより霧状に噴霧してサウナ室とする噴霧式サウナ装置であって、複数の噴霧ノズルを有するとともにカバーが装着されたノズル配管が、上下方向に直列に複数配設され、各ノズル配管の管軸を中心に回動自在に支持されているとともに、前記カバーにノズル配管を左右に回動させるときの把持部が設けられていることを特徴とする噴霧式サウナ装置。
【請求項２】
ノズル配管が上下２段に設けられていて、上側のノズル配管の把持部が、カバーの上端部に設けられ、下側のノズル配管の把持部がカバーの下端部に設けられている請求項１に記載の噴霧式サウナ装置。
【請求項３】
把持部がカバーに一体成形されている請求項１または請求項２に記載の噴霧式サウナ装置。
【請求項４】
把持部がカバーの前面側から突出しない状態に設けられている請求項１〜請求項３のいずれかに記載の噴霧式サウナ装置。
【発明の詳細な説明】
【０００１】
【発明の属する技術分野】
本発明は、浴室内に設置されたノズル配管に配設された噴霧ノズルより霧状に温湯を噴霧してサウナ室とする噴霧式サウナ装置に関する。
【０００２】
【従来の技術】
従来、浴室や、サウナ室内に設けた噴霧ノズルより霧状に温湯を噴霧してサウナ室とする噴霧式サウナ装置に関しては、例えば、特開平４−１７４６６７号公報に、サウナ室に複数のミスト噴出ノズルを一列状に並べたミスト噴出部を備えてなるミスト噴出装置が記載されている。
【０００３】
上記特開平４−１７４６６７号公報に記載されている従来技術において、ミスト噴出ノズルは、これが配設された配管を縦に設け、気流の循環により温度を均一に保つとともに、噴霧ミストを直接身体にかけることができるようになっている。しかしながら、一列状のミスト噴出ノズル全体が作動されるため、噴霧ミストが顔面に当たることによる息苦しさや、髪の毛が濡れることによる不快感が伴うといった問題があった。又、ミスト噴出ノズルの噴出角度の方向を変えようとする場合、把手がないため、外側に設けられたカバー全体を掴んで操作する必要があり、操作しにくいとともに、ミスト噴出中は高温のミストが手にかかったりして火傷を負うといった恐れがある。
【０００４】
本発明は、上記のこのような問題点に着目してなされたものであり、その目的とするところは、これらの問題点を解消し、噴霧ミストの噴出中であっても安全に、且つ簡単に噴霧ミストの噴出方向の変更操作が行える把持部が設けられた噴霧式サウナ装置を提供するものである。
【０００５】
【課題を解決するための手段】
本発明の噴霧式サウナ装置においては、浴室内に設置された噴霧ノズルに温湯を供給して、この温湯を上記噴霧ノズルより霧状に噴霧してサウナ室とする噴霧式サウナ装置であって、複数の噴霧ノズルを有するとともにカバーが装着されたノズル配管が、上下方向に直列に複数配設され、各ノズル配管の管軸を中心に回動自在に支持されているとともに、前記カバーにノズル配管を左右に回動させるときの把持部が設けられていることを特徴とする。
さらに、本発明の噴霧式サウナ装置においては、ノズル配管が上下２段に設けられていて、上側のノズル配管の把持部が、カバーの上端部に設けられ、下側のノズル配管の把持部がカバーの下端部に設けられている構成、把持部がカバーに一体成形されている構成、あるいは、把持部がカバーの前面側から突出しない状態に設けられている構成としてもよい。
【０００６】
【作用】
本発明の噴霧式サウナ装置においては、複数の噴霧ノズルが配設されたノズル配管が浴室の内壁面に回動可能に取り付けられ、このノズル配管を覆うカバーに把持部が設けられているので、この把持部を操作することによりノズル配管が左右に回動され、噴霧ミストの噴出中であっても安全に、且つ簡単に噴霧ミストの噴出方向の変更操作を行うことができる。
【０００７】
【発明の実施の形態】
以下、本発明の実施の形態を図面を参照して説明する。
図１は、本発明の噴霧式サウナ装置の一例を示す側面図であり、図２は、図１の上面図である。
図１、及び図２において、１０は噴霧サウナ装置であり、この噴霧サウナ装置１０は、浴室の内壁面１に沿ってほぼ垂直方向に設置され、ノズル配管１１を経由して噴霧ノズル１２に温湯を供給し、この温湯を噴霧ノズル１２より霧状に噴霧してサウナ室とするものである。
【０００８】
即ち、この噴霧サウナ装置１０は、浴室の内壁面１にほぼ垂直方向に、上下に２分割して直列に配設された上、下のノズル配管１１、１１と、このノズル配管１１の前面に直列に複数配置されて設けられた噴霧ノズル１２、１２、・・・とにより構成されている。
【０００９】
上記上、下のノズル配管１１、１１は、それぞれに独立して管軸に対して直角方向に回動可能に軸着され、上端のこの軸着部分はカバー１４により保護されている。
【００１０】
又、上、下のノズル配管１１、１１には、図４の外形断面図に示すように、その外面を覆うほほ楕円形状をしたカバー１３、１３がそれぞれに装着され、高温のノズル配管１１に対する安全性が配慮されている。
この上、下のカバー１３、１３において、上のカバー１３には上端寄りに把持部１５が、下のカバー１３には下端近傍に把持部１５がそれぞれに設けられている。
【００１１】
この把持部１５は、手で把持するため、図３の外形断面図に示すように掴み易く、力を入れ易いように、凹部を両側より対向する形で設けたものであり、別部品とせずに、カバー１３と一体に成形することにより、出っ張りがなく安全で、カバー１３との一体感を持たせるようにしたものである。
【００１２】
従って、上記把持部１５を握って操作することによりノズル配管１１とともに、噴霧ノズル１２が左右に回動され、又、上下のノズル配管１１がそれぞれに独立して操作できるので、噴霧ミストの噴出中であっても安全に、且つ簡単に噴霧ミストの噴出方向を変更することができるようになった。
【００１３】
図５は、本発明の噴霧式サウナ装置の他の例を示す側面図であり、図６は、図５の上面図、図７は、図５の要部の正面図である。
図５において、２０は噴霧サウナ装置であり、この噴霧サウナ装置２０は、上記実施例と同様、浴室の内壁面１に沿ってほぼ垂直方向に設置され、ノズル配管２１を経由して噴霧ノズル２２に温湯を供給し、この温湯を噴霧ノズル２２より霧状に噴霧してサウナ室とするものである。
【００１４】
即ち、この噴霧サウナ装置２０は、浴室の内壁面１にほぼ垂直方向に、上下に２分割して直列に配設された上、下のノズル配管２１、２１と、このノズル配管２１の前面に直列に複数配置されて設けられた噴霧ノズル２２、２２、・・・とにより構成されている。
【００１５】
上記上、下のノズル配管２１、２１は、それぞれに独立して管軸に対して直角方向に回動可能に軸着され、上端のこの軸着部分はカバー２４により保護されている。
【００１６】
又、上、下のノズル配管２１、２１には、上記実施例と同様に、その外面を覆うほほ楕円形状をしたカバー２３、２３がそれぞれに装着され、高温のノズル配管２１に対する安全性が配慮されている。
この上、下のカバー２３、２３において、上のカバー２３には上端より上方に突出して把持部２５が、下のカバー２３には下端より下方に突出して把持部２５がそれぞれに設けられている。
【００１７】
この把持部２５は、手で把持するため、図６、及び図７に示すように、掴み易く、力を入れ易いように、断面形状がほぼ円形となされており、別部品とせずに、カバー２３と一体に成形することにより、前面への出っ張りがなく安全で、操作し易く、カバー２３との一体感を持たせるようにしたものである。
【００１８】
従って、上記把持部２５を握って操作することによりノズル配管２１とともに、噴霧ノズル２２が左右に回動され、又、上下のノズル配管２１がそれぞれに独立して操作できるので、上記実施例と同様、噴霧ミストの噴出中であっても安全に、且つ簡単に噴霧ミストの噴出方向を変更することが可能である。
【００１９】
本発明の噴霧式サウナ装置において、内壁面に設けられるノズル配管は、上記実施例においては、上下に２分割し、それぞれに独立して回動させ、噴霧ノズルを好きな角度にそれぞれ設定できるようにしたが、２分割以上に分割したノズル配管であってもよい。又、このノズル配管の分割数に対応して、把持部の数も増減して設ければよく、把持部の設けられる部位は、安全で、操作性のよい個所に任意に設けることができる。
【００２０】
【発明の効果】
本発明の噴霧式サウナ装置においては、複数の噴霧ノズルが配設されたノズル配管が浴室の内壁面に回動可能に取り付けられ、このノズル配管を覆うカバーに把持部が設けられているので、この把持部を操作することによりノズル配管が左右に回動され、噴霧ミストの噴出中であっても安全に、且つ簡単に噴霧ミストの噴出方向の変更操作を行うことができる。
【００２１】
更に詳しくは、把持部を噴霧ノズルと重ならず、離れた位置に設けるとともに、使い勝手のよい部位に複数設けるようにしたので、角度の操作中に噴出する噴霧ミストがかかる心配がなく、安全で、角度調整の操作性が優れたものとすることができた。
又、把持部をカバーと一体に成形加工し、前面側に突き出さないように配慮したので、強度に優れ、外観意匠性がよいものとすることができた。
従って、噴霧式サウナ装置として好適に用いられる。
【図面の簡単な説明】
【図１】本発明の噴霧式サウナ装置の一例を示す側面図。
【図２】図１の上面図。
【図３】図１のＡ−Ａ外形断面図。
【図４】図１のＢ−Ｂ外形断面図。
【図５】本発明の噴霧式サウナ装置の他の例を示す側面図。
【図６】図５の上面図。
【図７】図５の要部の正面図。
【符号の説明】
１０、２０            噴霧式サウナ装置
１１、２１            ノズル配管
１２、２２            噴霧ノズル
１３、１４、２３、２４カバー
１５、２５            把持部
【図１】
0003696964.tif 000002
【図２】
0003696964.tif 000003
【図３】
0003696964.tif 000004
【図４】
0003696964.tif 000005
【図５】
0003696964.tif 000006
【図６】
0003696964.tif 000007
【図７】
0003696964.tif 000008